(57)【特許請求の範囲】
【請求項１】
円盤状の本体の外周に所定ピッチに刃台と、該刃台の回転方向の外周角部にチップを有する回転鋸において、
該刃台が略矩形状で、該刃台の外周辺の非回転方向の外周角部の板厚が該刃台自体の厚みと略同一であると共に、該外周辺の非回転方向の外周角部の高さが該チップの高さより低く該外周辺が略Ｖ字状で、該非回転方向の外周角部のすくい角が１０°〜３５°であり、
該刃台間の歯室の歯底が、略直線状で且つ回転による遠心力が加わる方向と略直角であることを特徴とする回転鋸。
【請求項２】
前記刃台間の歯室の歯底のすくい角を２５°〜３５°としたことを特徴とする請求項１記載の回転鋸。
【発明の詳細な説明】
【技術分野】
【０００１】
本発明は、木材や木質材等を切断する回転鋸に関する。
【背景技術】
【０００２】
従来より、回転鋸において、切り屑が歯室に留まった状態で回転鋸が回ると、切り屑によって切削抵抗が大きくなって回転鋸に摩擦熱が発生し、切断面を焦がしたり、場合によっては切断している材料が発火したりした。
【０００３】
この切断抵抗の上昇を抑える方法として、例えば特許文献１に示されるような工夫がなされている。特許文献１の回転鋸では、歯室の凹部の縁部の厚さを台金よりも厚くすることにより、切り屑が凹部から外部に効率よく排出されるようにしている。
【先行技術文献】
【特許文献】
【０００４】
【特許文献１】特開２００７−１１８１４９号公報
【発明の概要】
【発明が解決しようとする課題】
【０００５】
しかしながら、従来の回転鋸では、歯室の凹部の縁部の厚さを台金よりも厚くすることで、回転鋸自体の切削抵抗が増してしまう可能性があり、十分に切削抵抗を抑えることができない。
【０００６】
本発明は、このような事情に鑑みてなされたもので、歯室に切り屑が侵入することを抑制し歯室に侵入した切り屑を効率よく歯室から排出することで、切削抵抗の上昇を抑え切削効率や安全性を向上させることができる回転鋸を提供することにある。
【課題を解決するための手段】
【０００７】
請求項１記載の回転鋸は、刃台が略矩形状で、刃台の外周辺の非回転方向の外周角部の板厚が刃台自体の厚みと略同一であると共に、外周辺の非回転方向の外周角部の高さがチップの高さより低く外周辺が略Ｖ字状で、非回転方向の外周角部のすくい角が１０°〜３５°であり、刃台間の歯室の歯底が、略直線状で且つ回転による遠心力が加わる方向と略直角であることを特徴とする。
【０００８】
請求項２記載の回転鋸は、刃台間の歯室の歯底のすくい角を２５°〜３５°としたことを特徴とする。
【発明の効果】
【００１１】
本願の発明によれば、刃台の外周辺の非回転方向の外周角部で歯室に切り屑が侵入することを抑制し、刃台間の歯室の歯底が略直線状で回転による遠心力が加わる方向と略直角であることで歯室に侵入した切り屑を効率よく歯室から排出し、切削抵抗の上昇を抑えることで切削効率や安全性を向上させることができる。
【図面の簡単な説明】
【００１２】
【図１】本発明に係る第１の実施例の回転鋸の外観図である。
【図２】同第１の実施例の回転鋸の説明図である。
【図３】本発明に係る第２の実施例の回転鋸の外観図である。
【図４】同第２の実施例の回転鋸の説明図である。
【発明を実施するための形態】
【００１３】
本発明の形態における回転鋸は、木材や木質材等を切断するための、円盤状の本体の外周に所定ピッチに刃台と、該刃台の回転方向の外周角部にチップを有するものである。
【実施例１】
【００１４】
図１は、本発明に係る第１の実施例の回転鋸の外観図である。図２は、同第１の実施例の回転鋸の説明図である。
【００１５】
本実施例１における回転鋸１は、φ３０５で、歯数が３０の丸鋸である。回転鋸１は、円盤状の本体１０の外周に略矩形状の刃台２０が３０個設けられ、刃台２０と刃台２０との間には、略矩形凹状の歯室２６が形成されている。歯室２６は、開口側（本体１０の外周側）が、回転鋸１の回転方向に向かっている。そして、刃台２０の外周辺２４の回転方向の外周角部２４ａには、切削用のチップ２２が設けられている。
【００１６】
刃台２０の外周辺２４は、外周角部２４ａと外周角部２４ｂとが外周方向に突出した略Ｖ字状で、外周辺２４の非回転方向の外周角部２４ｂの高さがチップ２２の高さより低く設定されている。チップ２２と外周角部２４ｂとの高さの違いは、歯数１０〜８０でφ１５０〜φ１６０の丸鋸の場合には約１．５ｍｍ〜約３．０ｍｍが好ましく、本実施例の回転鋸１では約２．０ｍｍである。そして、外周角部２４ｂと円周方向とのなす角であるすくい角αは、１０°〜３５°が好ましく、本実施例の回転鋸１では約１３°である。
【００１７】
歯室２６の歯底は、略直線状で、回転方向に向かって傾斜しており、好ましくは回転による遠心力が加わる方向と略直角で、円周方向とのなす角であるすくい角γは、２５°〜３５°が好ましく、本実施例の回転鋸１では約３３°である。
【実施例２】
【００１８】
実施例１の回転鋸１は、歯数の多いいわゆる丸鋸であるが、歯数の少ないいわゆるカッターが本実施例２の回転鋸２である。図３は、本発明に係る第２の実施例の回転鋸の外観図である。図４は、同第２の実施例の回転鋸の説明図である。
【００１９】
本実施例２における回転鋸２は、φ２５５で、歯数が１２のカッターである。回転鋸２は、円盤状の本体３０の外周に略矩形状の刃台４０が１２個設けられ、刃台４０と刃台４０との間には、略矩形凹状の歯室４６が形成されている。歯室４６は、開口側（本体３０の外周側）が、回転鋸２の回転方向に向かっている。そして、刃台４０の外周辺４４の回転方向の外周角部４４ａには、切削用のチップ４２が設けられている。
【００２０】
刃台４０の外周辺４４は、外周角部４４ａと外周角部４４ｂとが外周方向に突出した略Ｖ字状で、外周辺４４の非回転方向の外周角部４４ｂの高さがチップ４２の高さより低く設定されている。チップ４２と外周角部２４ｂとの高さの違いは、歯数４〜３０でφ１００〜φ３０５のカッターの場合には約２．０ｍｍ〜約５．０ｍｍが好ましく、本実施例の回転鋸２では約３．５ｍｍである。そして、外周角部４４ｂと円周方向とのなす角であるすくい角αは、１０°〜３５°が好ましく、本実施例の回転鋸２では約３０°である。
【００２１】
歯室４６の歯底は、略直線状で、回転方向に向かって傾斜しており、好ましくは回転による遠心力が加わる方向と略直角で、円周方向とのなす角であるすくい角γは、２５°〜３５°が好ましく、本実施例の回転鋸２では約３２°である。
【００２２】
以上のように、本実施の形態の回転鋸１，２によれば、刃台１０，４０の外周辺２４，４４の非回転方向の外周角部２４ｂ，４４ｂが、回転方向後方の歯室２６，４６に切り屑が侵入することを抑制し、刃台２０，４０間の歯室２６，４６の歯底２８，４８が略直線状であることで、歯室２６，４６に侵入した切り屑を効率よく歯室２６，４６から排出し、切削抵抗の上昇を抑え切削効率や安全性を向上させることができる。
【００２３】
尚、本実施の形態の回転鋸１，２は、一例であり、半径、歯数は、様々に設定可能である。
【産業上の利用可能性】
【００２４】
以上のように、本発明によれば、歯室に切り屑が侵入することを抑制し歯室に侵入した切り屑を効率よく歯室から排出することで、切削抵抗の上昇を抑え切削効率や安全性を向上させることができる回転鋸を提供することができる。
【符号の説明】
【００２５】
１・・・・・回転鋸
２・・・・・回転鋸
１０・・・・本体
１２・・・・軸穴
２０・・・・刃台
２２・・・・チップ
２４・・・・外周辺
２４ａ・・・外周角部
２４ｂ・・・外周角部
２６・・・・歯室
２８・・・・歯底
３０・・・・本体
３２・・・・軸穴
４０・・・・刃台
４２・・・・チップ
４４・・・・外周辺
４４ａ・・・外周角部
４４ｂ・・・外周角部
４６・・・・歯室
４８・・・・歯底
【図１】
0005600029.tif 000002
【図２】
0005600029.tif 000003
【図３】
0005600029.tif 000004
【図４】
0005600029.tif 000005